(57)【要約】【課題】  斬新な形状を有する竹材の製造を可能にする、竹材成型装置を提供する。【解決手段】  竹材成型装置は、生長中の生竹の外側にこれを被覆して固定する金型からなる。金型は、横断面形状が異なる又は同じ第一金型と第二金型の二つの金型を突き合わせて筒状にセットした状態で結合手段により分離可能に結合されている。【効果】  竹の成長は金型の内面形状により制限を受け、一定の歳月の経過後には、金型の内面形状に合致した外形を有する竹に成型される。その竹をカットし、加工すれば、自然の竹と異なる外形を有する竹材が得られる。【選択図】      図２
0003108622.tif 000002
【実用新案登録請求の範囲】
【請求項１】
生長中の生竹をその外側から被覆して固定される金型からなり、その金型は生竹の生長を抑制して所望の外形を成型するための内面形状を有することを特徴とする竹材成型装置。
【請求項２】
金型は、横断面形状が異なる又は同じ第一金型と第二金型の二つの金型を突き合わせて筒状にセットした状態で結合手段により分離可能に結合されていることを特徴とする請求項１に記載の竹材成型装置。
【請求項３】
二つの金型をセットした状態に結合する結合手段は、二つの金型に設けたフランジの孔に挿通されるボルトと、そのボルトにねじ込まれるナットとから構成されていることを特徴とする請求項２又は３に記載の竹材成型装置。
【請求項４】
二つの金型をセットした状態に結合する結合手段は、一つの金型に設けられたロックほぞと、他の金型に設けられ、前記ロックほぞを嵌め込んで相互に固定するロックホールとから構成されていることを特徴とする請求項２又は３に記載の竹材成型装置。
【請求項５】
金型の内面形状は、ハート形、矩形、三角形など様々な形状に設計されていることを特徴とする請求項１又は２に記載の竹材成型装置。
【考案の詳細な説明】
【技術分野】
【０００１】
本考案は、竹材成型装置、さらに詳しくは、生竹から所定の外形を有する竹材を成型する装置に関する。
【背景技術】
【０００２】
容器を製造する材料の種類は多くある。例えば、セラミック、ガラス、木材、プラスチック、ステンレスなどが挙げられる。置物の容器は、品物を盛る実用効果を具有する以外に、精緻かつ優美の造形があれば、装飾効果をも持つ。木材又は竹材で作られる置物容器は、純朴な特色があるので、欧米人に愛用されている。通常、これには装身具又は小物が放り込まれる。特に、天然の竹材で作られるものは、特別の味わいがある。
竹材で作られる伝統的な置物容器の構成要素は、フレームと、編織される本体に分けられる。本体は多くの小孔を有するように編織される。編織された本体はフレームの内側にセットされ、フレームに結合される。
【特許文献１】特になし。
【考案の開示】
【考案が解決しようとする課題】
【０００３】
しかし、従来の竹材で作られる製品は、長い間、そのようなフレームと、編織された本体とを結合した構造しかない。人的加工感が過ぎるので、自然を追求する人間にとって、遺憾だと言える。竹は本来、断面形状が円形であるから、直接に竹をカットしても、装飾性を付加するには、簡単な表面加工又は焼いて折り曲げるプロセス以外、仕方がない。従って、全体からみると、円筒形の竹材しか得られない。いままで、竹のほぼ円形の外形形状を変更するどんな装置もない。従って、竹の製品は長い間、新鮮感が全然ない。
【０００４】
本考案は、上記のように、竹の自然状態の断面を変更する装置がないために外形が一定不変の竹材を用いざるを得ない状態から脱却して、斬新な形状を有する竹材の製造を可能にする、竹材成型装置を提供することを課題としている
【課題を解決するための手段】
【０００５】
上記課題を解決するため、本考案は生長中の生竹の外側にこれを被覆して固定する金型からなることを特徴としている。
金型を生長過程にある生竹の外側にこれを覆って固定すると、竹の成長は金型の内面形状により制限を受け、一定の歳月の経過後には、金型の内面形状に合致した外形を有する竹に成型される。成型したあとの竹をカットし、加工すれば、自然の竹と異なる外形を有する竹材が得られる。
【０００６】
金型は、横断面形状が異なる又は同じ第一金型と第二金型の二つの金型を突き合わせて筒状にセットした状態で結合手段により分離可能に結合されていることが望ましい。
【０００７】
二つの金型をセットした状態に結合する手段は、二つの金型のフランジの孔に挿通されるボルトと、そのボルトにねじ込まれるナットとから構成することができる。
二つの金型をセットした状態に結合する他の手段は、一つの金型のロックほぞを他の金型のロックホールに嵌め込んで固定するものとすることもできる。
【０００８】
金型の内面形状は、実際のニーズに応じて、ハート形、矩形、三角形など様々な形状に設計することができる。
【考案の効果】
【０００９】
請求項１の考案によれば、生竹の外周に金型を固定して放置するだけで、その金型の内面形状に合致する外形を有する竹材が成型されるので、低コストで斬新な形状の竹材の生産が可能である。
【００１０】
請求項２の考案によれば、生竹が枝が生えた状態まで成長した後でも、その竹の外周に金型を取り付けることができる。
【００１１】
請求項３及び請求項４の考案によれば、二つの金型を簡単に結合することができる。とくに、請求項３の場合は、生竹の外径に応じて二つの金型の結合距離を設定することができ、設定の仕方によって、完成した竹材の外径に多少の変化を加えることができる。
【００１２】
請求項５の考案によれば、断面形状が三角形以上の多角形、ハート形その他任意の形状を有する竹材の成型が可能である。
【考案を実施するための最良の形態】
【００１３】
次に、本考案の実施の形態を図面に基づいて説明する。
図１に示すように、本考案による竹の成型装置Ａは、成長過程にある生竹（以下、単に竹という場合がある。）５の節と節との間において、その生竹の外側を覆った状態で固定して使用される。通常、地面から一例として３つから４つ目までの節の部位を選ぶ。
【００１４】
竹の生長が完了する前に成型装置Ａを取り付ける。これにより、生長中の竹は、成型装置Ａの内面形状に成長を抑制されるため、竹は成型装置Ａの後述されるような内面形状に対応する外形を得ることとなる。
【００１５】
図２は、本考案による成型装置Ａの第１実施例を示す。この成型装置は、第一金型１と第二金型２から構成されている。第一金型１は断面Ｖ字形の成型面を有し、第二金型２は平坦な成型面を有するので、二つの金型の成型面を対向させて結合した時は、断面三角形の内面形状を持つ装置となる。第一金型１と第二金型２のそれぞれの両側にフランジ    １１、２１を設け、各フランジ１１、２１にそれぞれ複数の孔１１１、１２１を設けてあり、フランジ１１、２１を対面させて一方の孔（図２では１１１）からボルト３を他方の孔（図２では２１１）まで貫通し、突出したボルトにナット４をねじ合わせることにより、第一金型１と第二金型２をその間に生竹を通した状態、すなわち、これで生竹を覆った状態で固定することができる。
【００１６】
第一金型１と第二金型２の長さは、とくに限定されないが、好ましくは、覆って固定しよう生竹の隣接する二つの節の間における長さに応じて設計される。こうして、この装置を使用する場合は、第一、第二金型１、２で生竹５の二つ節の間を被覆し、ボルト３とナット４で締結して、第一、第二金型１、２で竹を挟んでセットする。そして、生竹５が段々に成長しているうちに、第一、第二金型１、２の内面形状の制限を受けて、本来の円形の外形が次第に矯正されるので、外形が第一、第二金型１、２の内面形状に合致する。竹の生長が完了したあとで、第一、第二金型をはずし、竹をカットすると、図４に示すように、三角形の竹の筒状体が得られる。
【００１７】
図５は、本考案の第２実施例を示す。この実施例では、第一金型１には湾曲したＶ字形の成型面を、第二金型２にはほぼ３字形の成型面を備えることにより、二つの金型を対向させて結合した時は、ハート形の内面形状を持つ装置が構成される。第２実施例は、内面形状が第１実施例と異なるほかは、結合構造は第１実施例と同じであるので、詳しい説明を省略する。第２実施例の装置を生竹５に取り付けて使用すると、図６及び図７に示すように、生竹はその生長によりハート形に成型される。
【００１８】
図８−図１１は、第一金具１と第二金型２の別の結合構造の例を示す。すなわち、前述のボルト、ナットの固着具を用いる方式以外に、第一金型１のフランジに複数のロックホール１２を設けるとともに、これに対して、第二金型２のフランジにロックホール１２に対応するロックほぞ２２を設けて、第一、第二金型１、２で生竹を挟んだ後で、ロックほぞ２２をロックホール１２に嵌め込んでセットするようにしたものである。あとで外したい場合は、ただ、ロックほぞ２２を少し動かすと、ロックほぞ２２がロックホール１２から離れるので、第一、第二金型１、２を分離できる。
【００１９】
図１２は、本考案の第３実施例を示す。第一金型１と第二金型２はいずれも同一断面形状のコ字形の成型面を有して、結合された状態で、矩形の内面形状を持つ装置を構成する。第３実施例も、第一、第二金型１、２の結合手段は前述のボルト、ナットの固着具を用いる方式と、図示するように、ロックほぞ２２とロックホール１２による嵌合方式のいずれを採用してもよい。
【００２０】
本考案において、第一、第二金型１、２は、上記の考案者の理念に応じて、様々な形状とすることができる。例えば、六角形、八角形、菱形、歯車形などが挙げられる。それにより、新規で意外性と趣味感に富んだ外形を有する生竹の生産が可能となり、従って、その生竹を単に切断するだけで、各種の外形を有する竹材を得ることができるから、伝統的な竹製品とは著しく異なる美観と趣向のある竹製品の創作が可能である。
【図面の簡単な説明】
【００２１】
【図１】本考案による竹材成型装置を生竹に取り付けた状態を示す斜視図。
【図２】生竹を断面三角形に成形する場合の第１実施例に係る成型装置の構成と生竹に対する取付状態を示す分解斜視図。
【図３】第１実施例装置により生竹が成型されている状態を示す横断面図。
【図４】第１実施例に係る成型装置を用いて成型された竹材の形状を示す斜視図。
【図５】生竹を断面ハート形に成形する場合の第２実施例に係る成型装置の構成を示す分解斜視図。
【図６】第２実施例装置により生竹が成型されている状態を示す横断面図。
【図７】第２実施例に係る成型装置を用いて成型された竹材の形状を示す斜視図。
【図８】成型装置の金型同士の結合手段の一例を示す分解斜視図。
【図９】図８の結合手段の断面図。
【図１０】成型装置の金型同士の結合手段の他の例を示す分解斜視図。
【図１１】図１０の結合手段の断面図。
【図１２】生竹を断面ハート形に成形する場合の第３実施例に係る成型装置の構成を示す分解斜視図。
【符号の説明】
【００２２】
Ａ       成型装置
１１        第一金型
１１      フランジ
１１１、１２１  孔
２        第二金型
２１      フランジ
３，４；１２，２２    結合手段
３        ボルト
４        ナット
１２      ロックホール
２２      ロックほぞ
５        竹
【図１】
0003108622.tif 000003
【図２】
0003108622.tif 000004
【図３】
0003108622.tif 000005
【図４】
0003108622.tif 000006
【図５】
0003108622.tif 000007
【図６】
0003108622.tif 000008
【図７】
0003108622.tif 000009
【図８】
0003108622.tif 000010
【図９】
0003108622.tif 000011
【図１０】
0003108622.tif 000012
【図１１】
0003108622.tif 000013
【図１２】
0003108622.tif 000014